(57)【要約】【課題】  原稿が原稿トレイに置かれたことに従って厚さ設定画面を表示するが、表示を維持したい特定の画面が原稿が原稿トレイに置かれたことによって表示されなくなってしまうことを抑制すること。【解決手段】  原稿が自動原稿搬送装置に置かれたら、そのタイミングで紙厚の選択画面を自動表示させる設定になっていたとしても、自動原稿搬送装置を利用時に紙詰まりが発生している場合は、紙詰まりの画面を優先的に表示するようにする。【選択図】  図９
2020120193.tif 000002
【特許請求の範囲】
【請求項１】
原稿トレイに置かれた原稿を前記原稿の厚さを示す情報に基づいて搬送させる画像読取装置であって、
前記原稿トレイに原稿が置かれたことを検知する検知手段と、
前記原稿トレイに前記原稿が置かれたことを前記検知手段が検知したことに従って前記原稿の厚さを設定する厚さ設定画面を表示する表示手段と、
前記表示手段によって表示された設定画面で設定された原稿の厚さを示す情報に基づいて前記原稿を搬送手段に搬送させる搬送制御手段と、
前記搬送手段によって搬送された原稿の画像を読み取る読取手段とを有し、
前記表示手段に表示されている画面の種類に基づいて、前記表示手段に特定の画面が表示されている状態で前記原稿トレイに原稿が置かれても前記厚さ設定画面を表示しないことを特徴とする画像読取装置。
【請求項２】
前記特定の画面はエラー画面であることを特徴とする請求項１に記載の画像読取装置。
【請求項３】
前記特定の画面は紙詰まりによるエラー画面であることを特徴とする請求項２に記載の画像読取装置。
【請求項４】
前記表示手段によって表示された設定画面で設定された原稿の厚さを示す情報を記憶する記憶手段をさらに有し、
前記表示手段は、前記搬送手段によって前記原稿が紙詰まりを起こしたことに従って原稿の紙詰まりによるエラー画面を表示し、
前記表示手段は、前記エラー画面が表示されている状態で前記原稿トレイに原稿が置かれても前記厚さ設定画面を表示せず、
前記搬送制御手段は、前記原稿の紙詰まりが解消した後、前記記憶手段に記憶された情報に基づいて前記原稿を前記搬送手段に搬送させることを特徴とする請求項３に記載の画像読取装置。
【請求項５】
前記搬送制御手段は、前記表示手段によって表示された画面で設定された原稿の厚さを示す情報に基づく搬送速度で前記原稿を搬送手段に搬送させることを特徴とする請求項１乃至４のいずれか１項に記載の画像読取装置。
【請求項６】
前記表示手段によって表示された画面で設定された原稿の厚さが所定の厚さより厚い場合に、前記搬送制御手段は、前記原稿の搬送速度を、前記原稿の厚さが前記所定の厚さである場合よりも遅くすることを特徴とする請求項５に記載の画像読取装置。
【請求項７】
前記表示手段によって表示された画面で設定された原稿の厚さが所定の厚さより薄い場合に、前記搬送制御手段は、前記原稿の搬送速度を、前記原稿の厚さが前記所定の厚さである場合よりも遅くすることを特徴とする請求項５に記載の画像読取装置。
【請求項８】
前記読取手段によって読み取られた原稿の画像を印刷する印刷手段をさらに有することを特徴とする請求項１乃至７のいずれか１項に記載の画像読取装置。
【請求項９】
前記読取手段によって読み取られた原稿の画像に基づいて生成された画像データを送信する送信手段をさらに有することを特徴とする請求項１乃至８のいずれか１項に記載の画像読取装置。
【請求項１０】
原稿トレイに置かれた原稿を前記原稿の厚さを示す情報に基づいて搬送させる画像読取装置の制御方法であって、
前記原稿トレイに原稿が置かれたことを検知手段が検知したことに従って前記原稿の厚さを設定する厚さ設定画面を表示する表示工程と、
前記表示工程で表示された設定画面で設定された原稿の厚さを示す情報に基づいて前記原稿を搬送手段に搬送させる搬送制御工程と、
前記搬送手段によって搬送された原稿の画像を読み取る読取工程とを有し、
前記表示工程で表示されている画面の種類に基づいて、前記表示工程で特定の画面が表示されている状態で前記原稿トレイに原稿が置かれても前記厚さ設定画面を表示しないことを特徴とする画像読取装置の制御方法。
【請求項１１】
前記特定の画面はエラー画面であることを特徴とする請求項１０に記載の画像読取装置の制御方法。
【請求項１２】
前記特定の画面は紙詰まりによるエラー画面であることを特徴とする請求項１１に記載の画像読取装置の制御方法。
【請求項１３】
前記表示工程で表示された設定画面で設定された原稿の厚さを示す情報を記憶手段に記憶する記憶工程をさらに有し、
前記表示工程では、前記搬送手段によって前記原稿が紙詰まりを起こしたことに従って原稿の紙詰まりによるエラー画面を表示し、
前記表示工程では、前記エラー画面が表示されている状態で前記原稿トレイに原稿が置かれても前記厚さ設定画面を表示せず、
前記搬送制御工程では、前記原稿の紙詰まりが解消した後、前記記憶手段に記憶された情報に基づいて前記原稿を前記搬送手段に搬送させることを特徴とする請求項１２に記載の画像読取装置の制御方法。
【請求項１４】
前記搬送制御工程では、前記表示工程で表示された画面で設定された原稿の厚さを示す情報に基づく搬送速度で前記原稿を搬送手段に搬送させることを特徴とする請求項１０乃至１３のいずれか１項に記載の画像読取装置の制御方法。
【請求項１５】
前記表示工程で表示された画面で設定された原稿の厚さが所定の厚さより厚い場合に、前記搬送制御工程では、前記原稿の搬送速度を、前記原稿の厚さが前記所定の厚さである場合よりも遅くすることを特徴とする請求項１４に記載の画像読取装置の制御方法。
【請求項１６】
前記表示工程で表示された画面で設定された原稿の厚さが所定の厚さより薄い場合に、前記搬送制御工程では、前記原稿の搬送速度を、前記原稿の厚さが前記所定の厚さである場合よりも遅くすることを特徴とする請求項１４に記載の画像読取装置の制御方法。
【請求項１７】
前記読取工程で読み取られた原稿の画像を印刷する印刷工程をさらに有することを特徴とする請求項１０乃至１６のいずれか１項に記載の画像読取装置の制御方法。
【請求項１８】
前記読取工程で読み取られた原稿の画像に基づいて生成された画像データを送信する送信工程をさらに有することを特徴とする請求項１０乃至１７のいずれか１項に記載の画像読取装置の制御方法。
【請求項１９】
請求項１０乃至１８のいずれか１項に記載された画像読取装置の制御方法を、コンピュータに実行させることを特徴とするプログラム。
【発明の詳細な説明】
【技術分野】
【０００１】
本発明は、原稿の厚さに基づいて原稿の搬送を制御する画像読取装置、画像読取装置の制御方法、及びプログラムに関する。
【背景技術】
【０００２】
自動原稿搬送装置で読み取る原稿が厚紙の場合は、搬送パスの湾曲箇所で搬送ローラの負荷が高くなるためジャムが発生しやすい。また、原稿が薄紙の場合は、原稿自体の重量が軽くなるため排紙部に排紙された原稿が落ち切るまでに時間が掛かり、原稿の後端と後続の原稿の先端がぶつかりジャムや積載不良の原因となっていた。
【０００３】
これに対して従来、原稿の厚さをセンサで検知し、その厚さに従って原稿の搬送速度を変える装置がある（特許文献１参照）。
【先行技術文献】
【特許文献】
【０００４】
【特許文献１】特開平６−２４６０４号公報
【発明の概要】
【発明が解決しようとする課題】
【０００５】
特願２０１８−２０４１３９には、コピー画面の表示中にユーザが自動原稿搬送装置の原稿トレイに原稿を置くことによって、原稿の厚さをユーザに設定させることが記載されている。それによって、センサを用いずとも、原稿の厚さを認識することができる。
【０００６】
しかしながら、表示中の画面の種類によっては、原稿を置いたときに画面を切り替えられたくない場合がある。
【０００７】
例えば、紙詰まりの解消の仕方を通知するための画面を表示している場合である。ユーザは、その画面を見ながら紙詰まりを解消するが、原稿が原稿トレイに置かれたことに従ってその画面が表示されなくなると、紙詰まりの解消の妨げとなってしまう。
【０００８】
本発明は、上述した課題に鑑みてなされたものである。本発明は、原稿が原稿トレイに置かれたことに従って厚さ設定画面を表示するが、表示を維持したい特定の画面が原稿が原稿トレイに置かれたことによって表示されなくなってしまうことを抑制する仕組みを提供することを目的とする。
【課題を解決するための手段】
【０００９】
原稿トレイに置かれた原稿を前記原稿の厚さを示す情報に基づいて搬送させる画像読取装置であって、前記原稿トレイに原稿が置かれたことを検知する検知手段と、前記原稿トレイに前記原稿が置かれたことを前記検知手段が検知したことに従って前記原稿の厚さを設定する厚さ設定画面を表示する表示手段と、前記表示手段によって表示された画面で設定された原稿の厚さを示す情報に基づいて前記原稿を搬送手段に搬送させる搬送制御手段と、前記搬送手段によって搬送された原稿の画像を読み取る読取手段とを有し、前記表示手段に表示されている画面の種類に基づいて、前記表示手段に特定の画面が表示されている状態で前記原稿トレイに原稿が置かれても前記厚さ設定画面を表示しないことを特徴とする。
【発明の効果】
【００１０】
原稿が原稿トレイに置かれたことに従って厚さ設定画面を表示するが、表示を維持したい特定の画面が原稿が原稿トレイに置かれたことによって表示されなくなってしまうことを抑制することができる。
【図面の簡単な説明】
【００１１】
【図１】本実施形態の画像形成装置の外観例を示す図である。
【図２】本実施形態のＡＤＦ１００、画像読取部２００の構成例を模式的に示す断面図である。
【図３】本実施形態の画像形成装置の構成を示すブロック図である。
【図４】操作部４０５を示す図である。
【図５】ＬＣＤタッチパネル６００に表示する画面の例を示す。
【図６】ＬＣＤタッチパネル６００に表示する紙厚選択方法設定画面の例を示す。
【図７】ＲＡＭ４０６に保存される設定値の構造を示す図である。
【図８】実施例１の紙厚選択方法設定を示すフロー図である。
【図９】実施例１の紙厚設定を示すフロー図である。
【図１０】実施例１のジョブ実行時のフロー図である。
【図１１】ＲＡＭ４０６に保存される、ポップアップ画面を表示する構造の例である。
【図１２】紙詰まりの状況を表示する画面の例である。
【発明を実施するための形態】
【００１２】
以下、本発明を実施するための形態について図面を用いて説明する。
【００１３】
（実施例１）
図１は、画像読取装置の一例である画像形成装置の外観例を示す図である。
【００１４】
本実施例における画像形成装置は、画像読取部２００と画像形成部５００を含む。
【００１５】
画像読取部２００は、照明ランプの発光によって原稿上の画像を露光走査して得られた反射光をリニアイメージセンサ（ＣＣＤセンサ）に入力することで画像の情報を電気信号に変換する。画像読取部２００はさらに電気信号をＲ、Ｇ、Ｂ各色からなる輝度信号に変換し、当該輝度信号を画像データとして画像形成装置のコントローラに出力する。
【００１６】
原稿は、自動原稿給紙部（以下、ＡＤＦ）１０００の原稿設置トレイ３０にセットされる。ユーザが画像形成装置の操作部から読み取り処理の実行指示を行うと、画像形成装置のコントローラは、画像読取部２００に対して原稿読み取り指示を送る。画像読取部２００は、この指示を受けとるとＡＤＦ１０００の原稿設置トレイ３０から原稿を１枚ずつフィードして原稿の読み取り動作を行う。また、ユーザは原稿を後述する原稿台ガラス上に置いて読み取ることもできる。
【００１７】
画像形成部５００は、コントローラ４００から受取った画像データを用紙上に形成する画像形成デバイスである。
【００１８】
本実施例における画像形成方式は、感光体ドラムや感光体ベルトを用いた電子写真方式である。また、画像形成部５００は、給紙ユニット５０４として異なる用紙サイズ又は異なる用紙向きに対応可能な複数のカセットを備える。また、排紙ユニット５０２は印字後の用紙が排出される。フィニッシャユニット５０５は、ユーザによる設定に基づいて用紙にステイプルやパンチ処理等の後処理を行う。
【００１９】
図２は、本実施形態のＡＤＦ１０００、画像読取部２００の構成例を模式的に示す断面図である。
【００２０】
ＡＤＦ１０００の動作について、図２を参照しながら説明する。図２に示すＡＤＦ１０００は、１枚以上の原稿シートで構成される原稿束Ｓを積載する原稿トレイ３０と、原稿の搬送開始前に原稿束Ｓが原稿トレイ３０より突出して下流への進出を規制する分離パッド２１と、給紙ローラ１とを有する。さらに、ＡＤＦ１０００は、原稿トレイ３０上に原稿Ｓが載置されていることを検知する原稿検知センサ２３と、原稿束Ｓの最上面との距離を計測する測距センサ２２、原稿が分離ローラ２を通過したことを検知する分離センサ２４とを有する。なお、原稿検知センサ２３は、原稿の下に設けられ、センサが置かれたことを検知するようにしてもよい。給紙ローラ１は、原稿トレイ３０に積載された原稿束Ｓの原稿面に落下し、回転する。これにより、原稿束の最上面の原稿が給紙される。給紙ローラ１によって搬送された原稿は、分離ローラ２と分離パッド２１の作用によって１枚に分離される。この分離は周知のリタード分離技術によって実現されている。このとき、搬送開始から一定時間（ｔ１）経過しても、分離センサ２４で原稿を検知出来ない場合、給紙ローラ１等の駆動は停止する。停止するまでの一定時間（ｔ１）は、搬送速度に従って予想した搬送開始から分離センサ２４までの到達時間と遅延を考慮した十分な時間を加えたものである。
【００２１】
分離ローラ２と分離パッド２１によって分離された原稿は、搬送ローラ３により、レジストローラ４へ搬送され、レジストローラ４に原稿を突き当てられる。これにより、原稿はループ状に形成され、原稿の搬送における斜行が解消される。レジストローラ４の下流側には、レジストローラ４を通過した原稿を流し読みガラス２０１方向へ搬送する給紙パスが配置されている。
【００２２】
給紙パスに送られた原稿は、大ローラ７及び搬送ローラ５によりプラテン上に送られる。ここで、大ローラ７は、流し読みガラス２０１に接触する。大ローラ７により搬送された原稿は、搬送ローラ６を通過し、ローラ１６と移動ガラスの間を移動して、排紙フラッパ及び排紙ローラ８を介して原稿排紙トレイ３１へ排出される。
【００２３】
図２のＡＤＦ１０００は、原稿を反転することで原稿の裏面画像を読み取るタイプであり、ＡＤＦ１０００は、排紙ローラ８に原稿を噛ませた状態で、排紙ローラ８を逆転させて排紙フラッパを切り替えることにより、反転パス１９へ原稿を移動させる。ＡＤＦ１０００は、移動した原稿を反転パス１９からレジストローラ４へ突き当て、再度原稿がループ状に形成されることによって、原稿の搬送における斜行を解消する。その後、ＡＤＦ１０００は、搬送ローラ５及び大ローラ７により、再び原稿を流し読みガラス２０１へ移動させることで、原稿の裏面を流し読みガラス２０１で読み取ることが可能である。
【００２４】
また、原稿トレイ３０には、積載された原稿束の副走査方向にスライド可能なガイド規制板１５が設けられているとともに、このガイド規制板に連動して原稿幅を検出する原稿幅検知センサ（図示せず）が設けられている。上記原稿幅検知センサ２３とレジ前センサ１１との組み合わせにより、原稿トレイ３０上に積載された原稿束の原稿サイズが判別可能となる。また、搬送パス内に設けられた原稿長検知センサ（図示せず）により、搬送中の原稿の先端検知から後端検知までの搬送距離から原稿長を検出することも可能である。また、検知した原稿長と上記原稿幅検知センサとの組み合わせからも、原稿サイズが判別可能である。
【００２５】
（画像読取部２００の構成例）
画像読取部２００は、原稿台ガラス２０２上の原稿について、光学スキャナユニット２０９が図２の矢印に示す副走査方向に走査することで、原稿に記録された画像情報を光学的に読み取る。また、画像読取部２００は、ＡＤＦ１０００を制御し、原稿トレイ３０上の原稿を一枚ずつ読取位置へ原稿を搬送する。さらに、画像読取部２００は、光学スキャナユニット２０９をＡＤＦ１０００の大ローラ７の読取中心位置に来るように移動し、大ローラ７の読取位置で原稿を読み取る。ＡＤＦ１０００上の原稿、又は原稿台ガラス２０２上の原稿は、次の光学系で読み取られる。この光学系は、流し読みガラス２０１、原稿台ガラス２０２、ランプ２０３とミラー２０４を有するスキャナユニット２０９、ミラー２０５及び２０６、レンズ２０７、ＣＣＤセンサユニット２１０を備える。読み取られた画像情報を光電変換して、図２には図示しないコントローラ部に画像データとして入力する。また、白板２１９は、シェーディングによる白レベルの基準データを作成するための白板である。
【００２６】
本実施形態では、ＣＣＤセンサユニット２１０は、カラー画像読取用（ＲＧＢ）ＣＣＤ（３ラインセンサユニット）２１２、白黒画像読取用ＣＣＤ（１ラインセンサユニット）２１１で構成される。
【００２７】
なお、本実施形態では、ＡＤＦ１０００が原稿を反転することで画像読取部２００が原稿の裏面画像を読み取るタイプを例に説明した。画像読取部２００は、原稿の表面読取用ＣＣＤと、原稿の裏面読取用ＣＣＤの両方を有し、１回の原稿の搬送で原稿の両面を読み取るタイプのものでもよい。
【００２８】
（ＡＤＦ１０００の制御ブロック）
図３は、本実施例の画像形成装置の構成を示すブロック図である。
【００２９】
ＡＤＦ１０００の制御ブロックは、中央演算処理部である制御手段（以下、ＣＰＵ）３００、リードオンリーメモリ（以下、ＲＯＭ）３０１、ランダムアクセスメモリ（以下、ＲＡＭ）３０２、出力ポート、及び、入力ポートを備えている。ＲＯＭ３０１には、制御用プログラムや固定パラメータが格納されており、ＲＡＭ３０２には、入力データや作業用データが格納されている。
【００３０】
出力ポートには、各種搬送用のローラを駆動するモータ３０３、ソレノイド３０６、クラッチ３０７が接続されており、入力ポートには、各種センサ３０４がそれぞれ接続されている。センサ３０４は、例えば、原稿幅検知センサや、原稿長検知センサの他に、搬送路上に所定の間隔で設けられた紙詰まりを検知するセンサである。
【００３１】
ＣＰＵ３００は、バスラインを介して接続されたＲＯＭ３０１に格納された制御プログラムに従って紙搬送を制御する。ＣＰＵ３００は、画像読取部２００の中央演算処理部（ＣＰＵ）３２１と制御用通信線３５１を介してシリアル通信を行い、画像読取部２００との間で制御データの授受を行うようになっている。また、原稿画像データの先端の基準となる画先信号も制御用通信線３５１を通して画像読取部２００に通知される。
【００３２】
また、ＣＰＵ３００は、画像読取部２００のＣＰＵ３２１からの制御データに応じて、各種センサ３０４の値を画像読取部２００に通知する。
【００３３】
（画像読取部２００の制御ブロック）
画像読取部２００の制御ブロックにおいて、ＣＰＵ３２１は、画像読取部２００の制御をすべて行っている。ＣＰＵ３２１にはプログラムを格納するＲＯＭ３２２、ワーク領域を提供するＲＡＭ３２３が接続される。なお、ＲＡＭ３２３は不揮発性の記憶を行う領域も含むワーク領域を示している。
【００３４】
光学系モータドライブ部３２６は、光学系駆動モータを駆動させるためのドライバ回路である。画像読取部２００には、ランプ２０３、ＣＣＤセンサユニット２１０（表面画像用の白黒画像読取用ＣＣＤ２１１／表面画像用のカラー画像読取用ＣＣＤ２１２）が接続されている。ＣＰＵ３２１は、光学系モータドライバ部３２６を制御し、画像処理部３２５を介してＣＣＤセンサユニット２１０を制御することで画像読取処理を実施している。
【００３５】
紙搬送を実現するために、ＣＰＵ３２１はＡＤＦ１０００の紙搬送制御用のＣＰＵ３００に制御用通信線３５１を介して紙搬送制御についてのコマンドを送って指示する。指示されたＣＰＵ３００が、搬送パス上に設置されている各センサ３０４をモニタし、負荷である搬送用のモータ３０３、ソレノイド３０６、クラッチ３０７を駆動することで、紙搬送を実現している。このように、ＣＰＵ３２１はＡＤＦ１０００による紙搬送と、画像読取部２００による画像読取制御を行っている。３２４は紙間補正を行う紙間補正処理部である。
【００３６】
レンズ２０７でＣＣＤセンサユニット２１０（カラー画像読取用（ＲＧＢ）ＣＣＤ２１２、白黒画像読取用ＣＣＤ２１１のいずれか）上に結像された画像信号は、デジタル画像データに変換される。変換された画像データは、さらに画像処理部３２５でシェーディングをはじめとして、画像データ上のスジ画像等を検知して補正するための各種画像処理が実施されて、画像メモリ部３２９に書き込まれる。
【００３７】
画像メモリ部３２９に書き込まれたデータは順次、画像転送用クロック信号線を含むコントローラ・インタフェースの画像通信線３５３を通してコントローラ部４００へ送信される。さらに、原稿画像データの先端の基準となる画先信号は、ＣＰＵ３２１でタイミングを調整して、コントローラ・インタフェースの制御通信線３５２を通してコントローラ部４００へ通知される。ＡＤＦ１０００からの通信ラインで通知される画先信号についても、同様に画像読取部２００のＣＰＵ３２１でタイミングを調整して、コントローラ・インタフェースの制御通信線３５２を通してコントローラ部４００へ通知される。
【００３８】
ＣＰＵ３２１が制御バスライン上に接続された画像処理部３２５を制御する。さらに、ＣＰＵ３２１は、画像処理部３２５を介して制御用通信線３５４から制御信号をＣＣＤセンサユニット２１０に伝達することで、ＣＣＤセンサユニット２１０を制御する。ＣＣＤセンサユニット２１０で原稿画像を走査する過程で、カラー画像読取用ＣＣＤ２１２あるいは白黒画像読取用ＣＣＤ２１１により読み取られる。そして、読み取られた１ラインごとのアナログの画像信号が、画像転送用クロック信号線を含む画像データ通信線２１４あるいは２１５からＣＣＤ制御部２１３に出力される。
【００３９】
ＣＣＤ制御部２１３でアナログ信号がデジタル画像データに変換され、画像転送用クロック信号線を含む画像データ情報通信線３５５から画像メモリ部３２９を経由して、画像データ情報通信線３５３を通してコントローラ部４００へ送信される。
【００４０】
ＣＰＵ３２１は、コントローラ部４００の中央演算処理部（ＣＰＵ）４０１と制御用通信線３５３を介してシリアル通信を行い、コントローラ部４００との間で制御データの授受を行うようになっている。ＣＰＵ３２１は、コントローラ部４００の中央演算処理部（ＣＰＵ）４０１からの制御データに応じて、搬送中の原稿に対する形状異常の検知を行う。形状異常の検知では、原稿１枚毎に搬送開始前に計測した原稿Ｓの最上面との距離と搬送開始から一定時間（ｔ２）後に計測した原稿Ｓの最上面との距離の差を計算し、一定以上の差（ｄ１）がある場合に、原稿が形状異常であると判断する。そして、ＣＰＵ３２１は、判断結果はコントローラ部４００の中央演算処理部（ＣＰＵ）４０１に通知する。
【００４１】
（コントローラ部４００の制御ブロック）
画像処理用のコントローラ部４００は、ＡＤＦ１０００、画像読取部２００、画像形成部５００を含む画像形成装置１０００の全体を制御する装置である。コントローラ部４００は、ＣＰＵ４０１、画像処理回路４０２、スキャナＩＦ４０３、画像メモリ４０４、操作部４０５、ワーク領域を提供するＲＡＭ４０６、プログラムを格納するＲＯＭ４０７、プリンタＩＦ４０８、ＨＤＤ４０９を有している。なお、ＲＡＭ４０６は不揮発性の記憶を行う領域も含むワーク領域を示している。ＲＯＭ４０７、ＨＤＤ４０９は、コンピュータ読取可能な記憶媒体の例である。
【００４２】
また、プログラムをＨＤＤ４０９からＲＡＭ４０６にロードしてＣＰＵ４０１で実行する構成でもよい。
【００４３】
画像データ情報通信線３５３を通じてコントローラ部４００へ送信された画像データは、スキャナＩ／Ｆ４０３を通じて、画像メモリ４０４に保存される。
【００４４】
画像処理回路４０２は、画像メモリ４０４上にある画像を、画像変換し、再度、画像メモリ４０４に戻す。画像処理回路４０２が行う画像変換処理には、３２画素×３２画素単位の画像を指定された角度で回転する回転処理、画像の解像度を変換する解像度変換処理がある。さらに、画像処理回路４０２が行う画像変換処理に画像を変倍する変倍処理、多値入力された画像をマトリクス演算、およびＬＵＴによりＹＵＶ画像をＬａｂ画像に変換する色空間変換処理がある。この色空間変換は３×８のマトリクス演算および、１次元ＬＵＴをもち、公知の下地とばしや裏写り防止を行うことができる。
【００４５】
なお、コントローラ部４００は、不図示のネットワークＩ／Ｆを有し、外部のＰＣと画像データや、その他のデータの送受信を行う。
【００４６】
（画像形成部５００の制御ブロック）
画像形成部５００は、記録紙（シート）を搬送し、その上に画像データを可視画像として印字して装置外に排紙する。画像形成部５００は、画像形成部５００を制御する制御部５０１と、複数種類の記録紙カセットを持つ給紙ユニット５０４と、画像データを記録紙に転写、定着させる機能を持つマーキングユニット５０３から構成されている。さらに印字された記録紙を機外へ出力する機能を持つ排紙ユニット５０２、パンチ処理、ソート処理を行うフィニッシャ部（フィニッシャユニット）５０５とで構成される。
【００４７】
制御部５０１は、マーキングユニット５０３で画像形成の準備が整った場合に、先端の基準となる画先信号をコントローラ・インタフェースの制御通信線３５６を通してコントローラ部４００へ送信する。
【００４８】
そして、マーキングユニット５０３は、コントローラ・インタフェースの画像通信線３５７を通して送られてきた画像データを記録紙に転写、定着させる。
【００４９】
以下、図４を参照して、図３に示した操作部４０５について説明する。ＬＣＤ（Ｌｉｑｕｉｄ  Ｃｒｙｓｔａｌ  Ｄｉｓｐｌａｙ）タッチパネル６００は、主なモード設定、状況表示を行うために用いられる。テンキー６０１は０〜９までの数値の入力を受け付ける。ＩＤキー６０２は、装置が部門管理されている場合に部門番号と暗証モードを入力する際に使用される。
【００５０】
リセットキー６０３は、設定されたモードをリセットするためのキーである。ガイドキー６０４は、各モードについての説明画面を表示するためのキーである。割り込みキー６０６は、割り込みコピーを行うためのキーである。
【００５１】
スタートキー６０７は、コピーやスキャンの実行指示を受け付けるためのキーである。ストップキー６０８は、実行中のジョブ（コピージョブやスキャンジョブ）を中止させるためのキーである。
【００５２】
ユーザモードキー６０５は、ユーザモード画面に入るためのキーであり、ユーザモード画面で、画像形成装置は、装置に関する各種の設定を受け付ける。
【００５３】
節電キー６０９は、画像形成装置を節電状態に移行させるためのキーであり、画像形成装置が節電状態にあるときに、再度選択されることで画像形成装置は節電状態から復帰する。
【００５４】
カウンタ確認キー６１０は、それまでに使用したコピー枚数の集計を表示するカウント画面がＬＣＤ上に表示される。
【００５５】
ＬＥＤ６１１はジョブの実行中、画像メモリへの画像蓄積中を示すものである。エラーＬＥＤ６１２は、ジャム、ドアオープン等装置がエラー状態にあることを示すものである。電源ＬＥＤ６１３は、装置のメインスイッチがＯＮになっていることを示すものである。
【００５６】
図５（ａ）のコピー画面７００は、ＬＣＤタッチパネル６００に表示される画面である。基本的な設定として、カラー選択７５１、倍率７５２、用紙選択７５３を設定するためのボタンが図５の７００ように配置され、それらの設定状況が７５０に表示されている。基本的な設定以外の設定はその他の機能ボタン７５７を押下することによって選択可能である。図５（ｃ）がその他の機能設定画面７６０であり、カラー選択７５１、倍率７５２、用紙選択７５３以外の機能についての設定を行うことができる。それら機能の中でユーザが頻繁に使う機能については、コピー画面にショートカットボタンを作成可能となっている。ここでは、両面印刷を設定するための両面７５４、原稿の裏写り防止を設定する裏写り防止７５５がショートカットボタンとして配置されている。さらに印刷時の出力モードや、後処理を設定するための仕上げ７５６がショートカットボタンとして配置されている。
【００５７】
図５（ｂ）の紙厚設定画面７７０は、原稿の紙厚（紙の厚さ）を設定させる画面の例である。図５（ｂ）の紙厚設定画面７７０は、例えば、原稿検知センサ２３が原稿を検知することに従って表示される。また、その他の機能７５７に用意されている紙厚設定を選択することでも、紙厚設定画面７７０を手動で表示することができる。紙厚設定画面７７０では、厚紙７７１、普通７７２、薄紙７７３が選択可能である。ここでは、厚紙７７１、普通７７２、薄紙７７３をボタンとして、表示する例を説明したが、各ボタンを１つのレコードとし、リスト表示してもよい。なお、ボタンやレコードはオブジェクトの例である。ユーザは紙厚を選択後、ＯＫキー７７４を押下することで、紙厚を設定する。設定された紙厚はＲＡＭ４０６に保存される。
【００５８】
図５（ｃ）のその他の機能設定画面７６０は、コピー機能の応用機能の設定を行うための画面である。その他の機能設定画面７６０は、コピー画面７００のその他の機能ボタン７５７が選択されることによって表示される。その他の機能設定画面７６０は、両面７５４，裏写り防止７５５、仕上げ７５６に加えて、印刷する濃度を設定するための濃度７６１を含む。また、その他の機能設定画面７６０は、印刷原稿に部数番号の印字指定の設定をするための部数印字７６２、原稿の紙厚設定を設定するための紙厚設定７６３を含む。それぞれ、ボタンとして表示されている。
【００５９】
図５（ｄ）の応用紙厚設定画面７８０に紙厚設定を行う画面の例を示す。応用紙厚設定画面７８０は、その他の機能設定画面７６０で紙厚設定７６３が押下されることで表示される。応用紙厚設定画面７８０では、厚紙７８１、普通７８２、薄紙７８３が選択可能である。紙厚を選択後、ＯＫキー７８５を押下することで、紙厚が設定される。キャンセルキー７８４を選択することで紙厚の設定をキャンセルすることができる。ここでは、厚紙７８１、普通７８２、薄紙７８３をボタンとして、表示する例を説明したが、各ボタンを１つのレコードとし、リスト表示してもよい。なお、ボタンやレコードはオブジェクトの例である。ユーザは紙厚を選択後、ＯＫキー７８５を押下することで、紙厚を設定する。設定された紙厚はＲＡＭ４０６に保存される。
【００６０】
図６（ａ）に紙厚選択方法設定画面の例を示す。この画面は、ユーザーモードから操作によって表示させることができる。ユーザモードは、操作部４０５のユーザモードキー６０５の押下によって表示される。ここでは図示しないが、ユーザーモードには、他にも、画像形成装置内の様々な設定を行う機能が用意されている。
【００６１】
紙厚選択方法設定画面７９０は、紙厚選択方法を設定するためのボタンである固定設定７９１、毎回設定７９２を含む。毎回設定７９２は、原稿が原稿トレイ３０に置かれたことを検知したことに従って紙厚設定画面７７０を自動的に表示する機能を有効にするボタンである。固定設定７９１は、原稿が原稿トレイ３０に置かれたことを検知したことに従って紙厚設定画面７７０を自動的に表示する機能を無効にするボタンである。ユーザは、固定設定７９１と、毎回設定７９２のいずれかを選択することで、選択された紙厚選択方法を設定可能である。ここで、固定設定７９１が選択されている場合には、紙厚固定設定領域７９３に、紙厚設定を行う厚紙７９４、普通７９５、薄紙７９６が表示される。厚紙７９４、普通７９５、薄紙７９６は、それぞれ選択可能である。厚紙７９４、普通７９５、薄紙７９６のいずれか１つが選択された状態でＯＫキー７９８が選択されると、紙厚選択方法が固定設定である旨と、選択された紙厚とが設定され、ＲＡＭ４０６に保存される。
【００６２】
具体例を図６（ｂ）を用いて説明する。図６（ｂ）は紙厚選択方法設定で固定設定が選択され、紙厚固定設定に厚紙が選択された場合の画面の例を示す。紙厚設定に固定設定７９１が選択され、厚紙７９４が選択された状態を表している。この状態でＯＫキー７９８を押下することで図７の紙厚選択方法７０１に固定設定が設定され、後述する図７の紙厚固定設定７０２に厚紙が設定される。
【００６３】
キャンセルキー７９７が選択されると、紙厚選択方法と紙厚の設定をキャンセルすることができる。
【００６４】
図６（ｃ）は紙厚選択方法設定として毎回設定７９２を選択した場合の画面の例を示す。紙厚設定に毎回設定７９２が選択されている場合には、紙厚固定設定領域７９９には設定ボタンが表示されない。この状態でＯＫキー７９８を押下することで、図７の紙厚選択方法７０１に毎回設定が設定される。
【００６５】
図７はＲＡＭ４０６に保存されている設定値の一例を示した図である。装置設定は、装置全体で共通に利用する設定値を保存するエリアで、その中には紙厚選択方法設定７０１、紙厚固定設定７０２、紙厚指定設定７０３がある。これ以外の装置設定が存在してもよい。コピー設定７１０は、コピー機能で利用する設定値を保存するエリアである。例として紙厚設定７１１、ページ印字７１２、ページ集約７１３、製本７１４、部数７１５等がある。なお、これらの設定項目は一例であり、これ以外のコピー設定が保存されてもよい。また、コピー機能以外のデータ送信機能やその他の機能に関しても設定値を保存するエリアがあってもよい。
【００６６】
本実施形態における画像形成装置は、これらの設定に基づいてコピージョブの実行を制御する。
【００６７】
（ユーザモードから紙厚選択方法設定を設定するフローチャート）
まず、図８を用いて、ユーザモードから紙厚選択方法の設定を行うフローチャートについて説明する。
【００６８】
このフローチャートは、操作部４０５のユーザモードキー６０５が選択され、ユーザモードが表示され、その中から紙厚選択方法設定が選択されたときに開始される。なお、このフローチャートは、コントローラ部４００のＣＰＵ４０１が、ＲＯＭ４０７から読み出してＲＡＭ４０６に展開された制御プログラムを実行することで行われる。
【００６９】
Ｓ８０１で、ＣＰＵ４０１は、ＬＣＤタッチパネル６００に図６（ａ）で示した紙厚選択方法設定画面７９０を表示させる。そして、ＬＣＤタッチパネル６００は、紙厚選択方法設定画面７９０で、固定設定７９１，毎回設定７９２の選択と、固定紙厚設定領域７９３に表示する厚紙７９４，普通７９５，薄紙７９６の選択を受け付ける。受け付けた設定を、ＣＰＵ４０１はＲＡＭ４０６に保存する。
【００７０】
次にＳ８０２で、ＣＰＵ４０１は、キャンセルキー７９７の選択を受け付けたか否かを判定する。キャンセルキー７９７の選択を受け付けた場合は、紙厚選択方法設定７９０の選択状態を装置設定に反映せず本フローを終了する。一方、キャンセルキー７９７の選択を受け付けていない場合、ＣＰＵ４０１はＳ８０３に処理を進める。
【００７１】
Ｓ８０３で、ＣＰＵ４０１は、ＯＫキー７９８の選択を受け付けたか否かを判定する。ＯＫキーの選択を受け付けた場合、ＣＰＵ４０１はＳ８０４に処理を進め、受け付けていない場合、ＣＰＵ４０１はＳ８０１に処理を進める。
【００７２】
Ｓ８０４で、ＣＰＵ４０１は、紙厚選択方法として選択されている設定が、固定設定７９１か、毎回設定７９２かを判断し、固定設定７９１が選択されている場合、Ｓ８０５に処理を進め、毎回設定７９２が選択されている場合、Ｓ８０６に処理を進める。
【００７３】
Ｓ８０５で、ＣＰＵ４０１は、装置設定７００の紙厚選択方法７０１に固定設定を保存する。そして、ＣＰＵ４０１は、固定紙厚設定領域７９３に表示している厚紙７９４，普通７９５，薄紙７９６のうち選択されている紙厚を紙厚固定設定７０２に保存し、本フローチャートを終了する。
【００７４】
Ｓ８０６で、ＣＰＵ４０１は、装置設定７００の紙厚選択方法７０１に毎回設定を保存し、本フローチャートを終了する。
【００７５】
次に、本実施例におけるＡＤＦ１０００に原稿を載置してスキャンを実行する場合に、装置設定の紙厚選択方法による処理の詳細について図９のフローチャートを用いて説明する。
【００７６】
本フローチャートは、ＬＣＤタッチパネル６００にコピー画面７００を表示した状態から開始される。なお、この一連の処理は、コントローラ部４００のＣＰＵ４０１が、ＲＯＭ４０７から読み出してＲＡＭ４０６に展開された制御プログラムを実行することで行われる。
【００７７】
図１１は、ＲＡＭ４０６に保存された画面の表示を制御するための画面情報の管理構造の例であり、この管理構造はテーブルの構造を有する。画像形成装置で表示可能な画面の情報が記憶されている。
【００７８】
画面ＩＤ１１０１は画面の種類ごとに一意に割り当てられたものであり、この画面ＩＤ１１０１によって画面の種類を一意に識別できる。その画面ＩＤ１１０１に紐いて、表示の優先順位１１０２、状態名１１０３、状態ビット１１０４がある。これ以外にも項目があってもよいが説明を省略する。また、図１１で記載している画面ＩＤの例以外の画面ＩＤもあってもよいが説明を省略する。
【００７９】
図１１のテーブルでは、画面ＩＤ１１０１が１００００の画面（シャットダウン実行中画面）は、最も高い表示の優先順位１１０２が割り当てられている。
【００８０】
状態１１０３はシャットダウン実行中になっており、このシャットダウン画面はシャットダウン実行中に表示されることを示している。状態ビット１１０４は、現在その状態が起きているときに１になり、起きていないときに０になる。図１１のテーブルの場合、画面ＩＤ１００００の状態ビット１１０４はＯＦＦになっている。これは、画像形成装置がシャットダウン実行中ではないことを示す。そのため、画面ＩＤ１１０１が１００００の画面はポップアップ表示されない。
【００８１】
一方で、画面ＩＤ１１０１が１００２０の画面（紙詰まり表示画面）は、２０番目に高い優先順位１１０２であることを示し、状態１１０３には、当該画面が紙詰まり中に表示される画面であることを示している。図１１のテーブルの例では、状態ビット１１０４がＯＮになっている。すなわち、画像形成装置は紙詰まり中である。
【００８２】
また、画面ＩＤ１１０１が１００７０の画面（紙厚設定画面）は７０番目に高い優先順位１１０２を持ち、状態１１０３が、紙厚毎回設定中に原稿が置かれた時に表示されるポップアップ画面であることを示す。図１１のテーブルの例では、状態ビット１１０４はＯＮである。すなわち、毎回設定７９２が設定されているときに原稿が置かれた状態を示す。
【００８３】
なお、このとき、図示した画面ＩＤの画面以外の画面ＩＤの画面の状態ビット１１０４はＯＦＦであるものとする。そうすると、画像形成装置は紙詰まりの状態であり、且つ、毎回設定７９２が設定されているときに原稿が設置された状態にあることになる。その場合、画面ＩＤ１１０１が１００２０の紙詰まり表示画面の方が、画面ＩＤ１１０１が１００７０の紙厚設定画面よりも表示の優先順位１１０２が高いため、紙詰まり表示画面が表示されることになる。
【００８４】
図１２は紙詰まりの状況を表示するエラー画面の例である。図１２の例では、ユーザに紙詰まりを解消させるための情報が表示されている。紙詰まりの位置を表示する装置の絵１２０１と、ユーザに紙詰まりの処理をさせるためのメッセージ１２０２が表示されている。ユーザは、この画面を見て、紙詰まりが起きている位置を確認し、装置内に搬送されずに残っている紙を取り除く。なお、図１２の画面に次へボタンを用意し、次へボタンが選択されると、紙詰まりを解消させるために必要な複数の手順を受任版に表示するようにしてもよい。ユーザは、手順を追っていくことによって、紙詰まりを除去することができる。
【００８５】
次に、本実施例におけるＡＤＦ１０００に原稿を載置してスキャンを実行する場合に、装置設定の紙厚選択方法による処理の詳細について図９のフローチャートを用いて説明する。
【００８６】
本フローチャートは、ＬＣＤタッチパネル６００にコピー画面７００を表示した状態から開始される。なお、この一連の処理は、コントローラ部４００のＣＰＵ４０１が、ＲＯＭ４０７から読み出してＲＡＭ４０６に展開された制御プログラムを実行することで行われる。
【００８７】
Ｓ９０１で、ＣＰＵ４０１は、ＡＤＦ１０００の原稿検知センサ２３の検出状態の変化があるかを判定し、原稿が「無し」から「有り」に変化したことが検出された場合はＳ９０２に処理を進め、検出していない場合には図９のフローチャートの処理を終了する。
【００８８】
Ｓ９０２で、ＣＰＵ４０１は、ＲＡＭ４０６に保存されている紙厚選択方法７０１に毎回設定が保存されているか否かを判定する。毎回設定が保存されている場合にはＳ９０３に処理を進め、毎回設定が保存されていない場合には図９のフローチャートの処理を終了する。
【００８９】
Ｓ９０３で、ＣＰＵ４０１は、現在紙詰まりの状況を表示するエラー画面が表示されているか否かを、図１１の画面ＩＤ１１０１が１００２０の画面の状態ビット１１０４がＯＮになっているか否かで判断する。紙詰まりの状況を表示するエラー画面が表示されていると判断した場合、ＣＰＵ４０１はＳ９０４に処理を進め、紙詰まりの状況を表示するエラー画面が表示されていないと判断した場合、ＣＰＵ４０１は、Ｓ９０５に処理を進める。
【００９０】
Ｓ９０４で、ＣＰＵ４０１は、紙詰まりが解消したか否かを、図１１の画面ＩＤ１１０１が１００２０の画面の状態ビット１１０４がＯＦＦになっているか否かで判断する。Ｓ９０４で紙詰まりが解消されたと判断した場合、ＣＰＵ４０１は、Ｓ９０１に処理を進める。Ｓ９０４で紙詰まりが解消されていないと判断した場合、ＣＰＵ４０１は、Ｓ９０４の処理を繰り返し、紙詰まりが解消されるまで待つ。
【００９１】
Ｓ９０５で、ＣＰＵ４０１は、ＬＣＤタッチパネル６００に図５（ｂ）の紙厚設定画面７７０を現在の画面の上に重ねて表示させ、紙厚設定の選択を受け付ける。
【００９２】
Ｓ９０６で、ＣＰＵ４０１は、ＯＫキー７７４の選択を受け付けたか否かを判定し、ＯＫキー７７４の選択を受け付けた場合にはＳ９０７に処理を進める。ＯＫキー７７４の選択を受け付けていない場合にはＳ９０５に処理を進め、ＣＰＵ４０１は、ＬＣＤタッチパネル６００に紙厚設定画面７７０を表示させる。
【００９３】
Ｓ９０７で、ＣＰＵ４０１は、その時点で選択されている紙厚の情報（厚紙／普通／薄紙）をＲＡＭ４０６の装置設定７００にある紙厚指定設定７０３に保存し、図９のフローチャートの処理を終了する。
【００９４】
次に、本実施例におけるコピージョブを実行する時の処理の詳細について図１０のフローチャートを用いて説明する。
【００９５】
ここではスキャンを行う機能としてコピーを例にして説明する。しかしながら、他の機能、例えば、スキャンした原稿の画像を示す画像データをメールで送信するメール送信機能や、スキャンした原稿の画像を示す画像データをＧ３ＦＡＸで送信するファクシミリ送信機能に適用してもよい。
【００９６】
なお、この一連の処理は、コントローラ部４００のＣＰＵ４０１が、ＲＯＭ４０７から読み出してＲＡＭ４０６に展開された制御プログラムを実行することで行われる。
【００９７】
Ｓ１００１で、ＣＰＵ４０１は、操作部４０５のスタートキー６０７の選択を受け付けたか否かを判定する。スタートキー６０７の選択を受け付けたと判定した場合、ＣＰＵ４０１は、Ｓ１００２に処理を進め、スタートキーの選択を受け付けていないと判定した場合、ＣＰＵ４０１はＳ１００１の処理を繰り返す。
【００９８】
Ｓ１００２で、ＣＰＵ４０１は、コピー設定７１０の紙厚設定７１１の値を判定する。紙厚が設定されていると判断した場合、ＣＰＵ４０１はＳ１００６に処理を進める。一方、紙厚が設定されていないと判断した場合、ＣＰＵ４０１はＳ１００３に処理を進める。
【００９９】
Ｓ１００３で、ＣＰＵ４０１は、ＬＣＤタッチパネル６００に図５で示した紙厚設定画面７７０を現在の画面の上に重ねて表示させ、紙厚設定の選択を受け付ける。
【０１００】
次に、Ｓ１００４で、ＣＰＵ４０１は、ＯＫキー７７４の選択を受け付けたか否かを判定し、ＯＫキー７７４の選択を受け付けた場合、Ｓ１００５に処理を進める。ＯＫキー７７４の選択を受け付けていない場合、ＣＰＵ４０１は、Ｓ１００３に処理を進める。
【０１０１】
Ｓ１００５で、ＣＰＵ４０１は、その時点で選択されている紙厚の情報（厚紙／普通／薄紙）をＲＡＭ４０６の装置設定７００にある紙厚指定設定７０３に保存し、Ｓ１００６に処理を進める。
【０１０２】
Ｓ１００６で、ＣＰＵ４０１は、コピー設定７１０の紙厚設定７１１の値を判定する。Ｓ１００６で判定した紙厚が普通（所定の厚さ）の場合、ＣＰＵ４０１は、Ｓ１００８に処理を進める。Ｓ１００６で判定した紙厚が厚紙（所定の厚さより厚い厚さ）の場合、及び紙厚が薄紙（所定の厚さより薄い厚さ）の場合は、処理をＳ１００７に進め、原稿搬送速度を低速にするよう自動原稿給紙部１００のＣＰＵ３００に通知する。
【０１０３】
原稿搬送速度を低速にする通知を受けたＣＰＵ３００は、搬送ローラ３、レジストローラ４、搬送ローラ５、搬送ローラ６、大ローラ７、排紙ローラ８のそれぞれを駆動するモータの回転数を下げ、通常の搬送速度よりも遅い速度になるように制御する。例えば、通常の搬送速度の半分の搬送速度になるように制御する。それによって、原稿が厚紙の場合には、搬送パスの湾曲部でトルク不足を解消することができ、厚紙の原稿が搬送パスの湾曲部でジャムになることを抑制することができる。また、原稿が薄紙の場合には、排紙された薄紙原稿が十分に落ち切ってから次の原稿が排紙されるようになる。このようにすることで、排紙部での積載性が向上し、薄紙の原稿が排紙部近傍でジャムになることを抑制することができる。
【０１０４】
Ｓ１００８で、ＣＰＵ４０１は、ＣＰＵ３２１に給紙開始指示を送信する。ＣＰＵ３００は、ＣＰＵ３２１から給紙開始指示を受けると、モータ３０３を駆動し、原稿の給紙を開始する。ここで、原稿搬送速度を低速にする通知を受けていない場合、ＣＰＵ３２１は、通常の搬送速度で原稿を搬送するよう制御する。一方、原稿搬送速度を低速にする通知を受けている場合、ＣＰＵ３２１は、通常の搬送速度の半分の搬送速度になるように原稿の搬送を制御する。
【０１０５】
Ｓ１００９で、ＣＰＵ４０１は、ＡＤＦ１００からの信号に基づいて、紙詰まりが発生したか否かを判断する。紙詰まりが発生したと判断した場合、ＣＰＵ４０１はＳ１０１０に処理を進める。一方、紙詰まりが発生していないと判断した場合、ＣＰＵ４０１は、Ｓ１０１６に処理を進める。
【０１０６】
Ｓ１０１０で、ＣＰＵ４０１は、紙詰まりが発生した状態であることを示す情報をＲＡＭ４０６に記憶する。具体的には、画面ＩＤ１１０１が１００２０の状態ビット１１０４をＯＮに書き換える。その後、ＣＰＵ４０１は、Ｓ１０１１に処理を進める。
【０１０７】
Ｓ１０１１で、ＣＰＵ４０１は、ＬＣＤタッチパネル６００に図１２で示した紙詰まり画面を現在の画面の上に重ねて表示させ、処理をＳ１０１２に進める。
【０１０８】
Ｓ１０１２で、ＣＰＵ４０１は、紙詰まりが解消したか否かを判断する。原稿の搬送路に、除去されずに残っている紙があるか否かをセンサ３０４からの信号に基づいて判定する。そして、除去されずに残っている紙がない場合、ＣＰＵ４０１は、紙詰まりが解消されたと判断し、Ｓ１０１３に処理を進める。一方、除去されずに残っている紙がある場合、ＣＰＵ４０１は、紙詰まりが解消されていないと判断し、Ｓ１０１２の処理を繰り返す。
【０１０９】
Ｓ１０１３で、ＣＰＵ４０１は、紙詰まりが解消された状態であることを示す情報をＲＡＭ４０６に記憶する。具体的に、ＣＰＵ４０１は、画面ＩＤ１１０１が１００２０の状態ビット１１０４をＯＦＦに書き換える。その後、ＣＰＵ４０１は、Ｓ１０１４に処理を進める。
【０１１０】
Ｓ１０１４で、ＣＰＵ４０１は、ＬＣＤタッチパネル６００に表示されている図１２の紙詰まり画面の表示をやめるよう表示を制御し、Ｓ１０１５に処理を進める。
【０１１１】
Ｓ１０１５で、ＣＰＵ４０１は、スキャンを再開するためのスキャン再開指示を受け付けたか否かを判断する。スキャン再開指示を受け付けたと判断した場合、ＣＰＵ４０１は、Ｓ１００８に処理を進め、スキャン再開指示を受け付けていないと判断した場合、Ｓ１０１５の処理を繰り返す。
【０１１２】
Ｓ１０１６で、画像読取部２００は原稿の画像を読み取り、画像データを生成する。
【０１１３】
生成された画像データは、画像データ情報通信線３５３を通じてコントローラ部４００へ送信され、スキャナＩＦ４０３を通じて、画像メモリ４０４に保存される。
【０１１４】
Ｓ１０１７で、ＣＰＵ４０１は、画像メモリ４０４に保存された画像データに対して画像処理を実行する。
【０１１５】
Ｓ１０１８で、ＣＰＵ３２１は、原稿トレイ３０に原稿があるか否かを判定し、原稿があると判定した場合、処理をＳ１００８に進め、原稿がないと判定した場合、Ｓ１０１９に処理を進める。
【０１１６】
Ｓ１０１９で、ＣＰＵ４０１は、画像形成部５００に画像データと印刷指示を送信し、画像形成部５００に印刷を実行させる。なお、メール送信や、ファクシミリ送信をする場合、Ｓ１０１９では、印刷ではなく、ユーザによって指定された宛先にデータを送信する処理をすればよい。
【０１１７】
本実施例では、紙詰まりの状況を表示するエラー画面を表示していない状態で原稿が置かれたことに従って紙厚設定画面を表示し、紙詰まりの状況を表示するエラー画面が表示されていない状態で原稿が置かれても紙厚設定画面を表示しないようにする。
【０１１８】
このような本実施例によれば、原稿が原稿トレイに置かれたことに従って厚さ設定画面を表示するが、表示を維持したい特定の画面が原稿が原稿トレイに置かれたことによって表示されなくなってしまうことを抑制することができる。そのため、紙詰まり発生時は、紙詰まりを解消するための画面を優先的に表示させることで、ユーザの利便性を損なわせないようにすることができる。
【０１１９】
また、ジョブ実行中に紙詰まりが発生した場合に、紙詰まり解消後に、紙厚設定画面を表示させずに、Ｓ１００５で保存された紙厚設定を引き継いで、ジョブを再開することで、紙厚設定画面で再度ユーザに紙厚設定をさせる手間を省かせることが可能になる。
【０１２０】
（その他の実施例）
なお、上述した実施例では、特定の画面として紙詰まり画面を例に説明したが、特定の画面はこれに限られるものではない。例えば、特定の画面は、ユーザモードキー６０５の押下によって表示されるユーザモード画面等の画面であってもよい。それによって、ユーザモード画面で画像形成装置の機器設定が行われている間に、原稿が置かれたことによって、ユーザモード画面が紙厚設定画面に切り替わることによって、機器の設定が妨げられることを抑制することができる。
【０１２１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２２】
４０１  ＣＰＵ
４０５  操作部
４０６  ＲＡＭ
【図１】
2020120193.tif 000003
【図２】
2020120193.tif 000004
【図３】
2020120193.tif 000005
【図４】
2020120193.tif 000006
【図５】
2020120193.tif 000007
【図６】
2020120193.tif 000008
【図７】
2020120193.tif 000009
【図８】
2020120193.tif 000010
【図９】
2020120193.tif 000011
【図１０】
2020120193.tif 000012
【図１１】
2020120193.tif 000013
【図１２】
2020120193.tif 000014